(57)【要約】【課題】レンズ交換を可能とし、レンズ交換時にはレンズに手が触れ難くし、さらにヘルメットを装着するスポーツに使用するのにも好ましくしたゴーグルを提供する。【解決手段】フレーム１の上側フレーム１ａおよび下側フレーム１ｂのそれぞれ中央より左右にそれぞれ一個ずつ止孔５を設け、レンズ３の上側および下側に、前記フレーム１のそれぞれの止孔５に対応する個所にそれぞれ止孔１１を設け、左右一対のベルトアーム３の二股部３ａのそれぞれの先端にロック機構１７を備えたものとし、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３とを固定したり、前記ロック状態を解除してこれらを分離できるようにしている。【選択図】    図６ｂ
2010216022.tif 000002
【特許請求の範囲】
【請求項１】
フレーム（１）の上側フレーム（１ａ）および下側フレーム（１ｂ）のそれぞれ中央より左右にそれぞれ一個ずつ止孔（５）を設け、レンズ（３）の上側および下側に、前記フレーム（１）のそれぞれの止孔（５）に対応する個所にそれぞれ止孔（１１）を設け、左右一対のベルトアーム（３）の二股部（３ａ）のそれぞれの先端にロック機構（１７）を備えたものとし、前記フレーム（１）とレンズ（２）とを重ね合わせて、それぞれの止孔（５、１１）どうしを位置合わせして、これら止孔（５、１１）を、前記ベルトアーム（３）のロック機構（１７）によってロック状態にして、前記フレーム（１）と、レンズ（２）と、左右一対のベルトアーム（３）とを固定したり、前記ロック状態を解除してこれらを分離できるようにしたことを特徴とするゴーグル。
【請求項２】
フレーム（１）の上側フレーム（１ａ）または下側フレーム（１ｂ）の一方に、その中央より左右にそれぞれ一個ずつ止孔（５）を設け、レンズ（３）の上側または下側に、前記フレーム（１）の止孔（５）に対応する個所にそれぞれ止孔（１１）を設け、左右一対のベルトアーム（３）の二股部（３ａ）の一方の先端にロック機構（１７）を備えたものとし、前記フレーム（１）とレンズ（２）とを重ね合わせて、それぞれの止孔（５、１１）どうしを位置合わせして、これら止孔（５、１１）を、前記ベルトアーム（３）のロック機構（１７）によってロック状態にして、前記フレーム（１）と、レンズ（２）と、左右一対のベルトアーム（３）の二股部（３ａ）の一方とを固定したり、前記ロック状態を解除してこれらを分離できるようにしたことを特徴とするゴーグル。
【請求項３】
フレーム（１）の上側フレーム（１ａ）および下側フレーム（１ｂ）のそれぞれ中央より左右にそれぞれ一個ずつと、左右フレーム（１ｃ）にそれぞれ一個ずつ止孔（５）を設け、レンズ（３）の上側、下側および左右側に、前記フレーム（１）のそれぞれの止孔（５）に対応する個所にそれぞれ止孔（１１）を設け、左右一対のベルトアーム（３）の二股部（３ａ）および分岐部（３ｃ）のそれぞれの先端にロック機構（１７）を備えたものとし、前記フレーム（１）とレンズ（２）とを重ね合わせて、それぞれの止孔（５、１１）どうしを位置合わせして、これら止孔（５、１１）を、前記ベルトアーム（３）のロック機構（１７）によってロック状態にして、前記フレーム（１）と、レンズ（２）と、左右一対のベルトアーム（３）とを固定したり、前記ロック状態を解除してこれらを分離できるようにしたことを特徴とするゴーグル。
【請求項４】
前記ベルトアーム（３）の二股部（３ａ）の他方の先端を、フレーム（１）の上側フレーム（１ａ）または下側フレーム（１ｂ）に連結したことを特徴とする請求項２記載のゴーグル。
【請求項５】
前記上側フレーム（１ａ）または下側フレーム（１ｂ）の他方に溝（７ｂ）を設け、この溝（７ｂ）に、前記レンズ（２）の上側縁または下側縁を嵌め込むようにしたことを特徴とする請求項２記載のゴーグル。
【請求項６】
前記ベルトアーム（３）のロック機構（１７）によってロック状態にした場合に、このベルトアーム（３）の二股部（３ａ）と前記レンズ（２）の表面との間に間隙（Ｓ）を設けたことを特徴とする請求項１〜５の何れかに記載のゴーグル。
【請求項７】
前記下側フレーム（１ｂ）に、中央部を窪ませて鼻当て部（６）を設け、この鼻当て部（６）の内側に溝（７ａ）を設けたものとし、前記レンズ（２）の下側に、中央部を窪ませて嵌込み部（１２）を設けたものとし、前記下側フレーム（１ｂ）の溝（７ａ）にレンズ（２）の嵌込み部（１２）を嵌め込んだことを特徴とする請求項１〜６の何れかに記載のゴーグル。
【請求項８】
前記ロック機構（１７）は、ロックピン（２０）、スリーブ（２１）、ノブ（２２）および止体（２３）から構成され、前記ノブ（２２）が、ベルトアーム（３）の二股部（３ａ）の先端に設けられた段差部（１５）に、上から横方向または横から上方向に回動自在として設けられており、上方向に回動させた場合にはロック解除状態となり、横方向に回動させ場合にはロック状態となるようにしたことを特徴とする請求項１〜７の何れかに記載のゴーグル。
【請求項９】
前記フレーム（１）が、フレキシブルな軟質の弾性合成樹脂により構成され、レンズ（２）との接触面に隣接する周壁（９）に、断面がＵ字状の長溝（１０）を設けたことを特徴とする請求項１〜８の何れかに記載のゴーグル。
【発明の詳細な説明】
【技術分野】
【０００１】
この発明は、スキー、スノーボード、雪掻き作業などに使用されるスノーゴーグル、バイクやバギーなどのモータースポーツゴーグル、カヌー、ヨット、サーフィンなどのウォータースポーツゴーグル、または工場などで使用する防塵ゴーグルなどに適用可能なゴーグルに関し、特にスポーツ用とした場合においてはヘルメットを装着するスポーツに使用するのに好ましいゴーグルに関するものである。
【背景技術】
【０００２】
従来のゴーグルとしては、例えば図１２に示したような、フレーム本体３１に一眼レンズ３２を着脱自在に装着したものが存在する。このゴーグルは、フレーム本体３１のレンズ当合周片部３３の上下に、一眼レンズ３２の掛合部３４へ掛合する掛支突部３５を設けたものとしている。
【０００３】
さらに、このゴーグルは、フレーム本体３１の後端に装着ベルトの挿通孔３６を有する突出部３７を設けたものとしている（特許文献１）。
【０００４】
従来のレンズの取付け構造としては、例えば図１３に示したように、ブリッジ４１にその表面から裏面に突き抜ける貫通孔４２を設け、左右一体に成形されたレンズ４３には、リム４４にはめこまれた際にブリッジ４１に当接する部分に切欠部４５が設けられている。このブリッジ４１の貫通孔４２とレンズ４３の切欠部４５とにピン４６が通されて、リム４４にレンズ４３が固定される。また、ピン４６はレンズ４３の切欠部４５の周囲を押さえる押え板４６ａが設けられ、リム４４はレンズ４３の左右の端が当たる部分に爪４７を設けているとしている。
【０００５】
そして、このレンズの取付け構造において、リム４４にレンズ４３が固定される場合は、レンズ４３を爪４７と溝４８に挟み、リム４４へ当て、レンズ４３の切欠部４５とブリッジ４１の貫通孔４２が合わされる。このとき、ピン４６のシャフト４６ｂを挿入し、貫通孔４２の裏側へ係合部４６ｃを突出させる。さらに、シャフト４６ｂを軸として回転させて、ブリッジ４１裏面の貫通孔４２の縁に係合部４６ｃを引っ掛けて、レンズ４３をリム４４に固定するとしている。
【０００６】
また、このレンズの取付け構造において、リム４４の両端には、それぞれベルト通孔４９を設け、このベルト通孔４９に装着ベルト（図示せず）を取り付けるようにしている（特許文献２）。
【０００７】
さらに、ヘルメットを装着するスポーツに使用するのに好ましい従来のゴーグルとしては、例えば図１４に示したように、レンズ保持枠５１の上枠部５１ａ前面及びレンズ保持枠５１の下枠部５１ｂ前面それぞれの左右部分にある突出位置から、この上枠部５１ａ及び下枠部５１ｂと一体成形で突出する軟質の弾性合成樹脂から成るアーム５２を設けたものとしている。このアーム５２は、前記突出位置から離れたベルト取り付け位置近傍に終端を有し、この終端近傍においてベルト取り付け部を介してベルト５３に接続し、かつアーム５２がレンズ保持枠５１の上枠部５１ａ前面及びレンズ保持枠５１の下枠部５１ｂ前面に重なるか、又はほぼ添うように配置されている。さらに、レンズ保持枠５１は、その内面にレンズ５４を嵌合保持させるための嵌合溝５５を形成しており、嵌合溝５５に嵌まったレンズ５４が不用意に抜け落ちないようにしている（特許文献３）。
【先行技術文献】
【特許文献】
【０００８】
【特許文献１】特公昭５０ー２９５９２号公報
【特許文献２】実開昭６１−１６０４２２号公報
【特許文献３】特開平１０−２２９９９８号公報
【発明の概要】
【発明が解決しようとする課題】
【０００９】
しかしながら、図１２に示した従来のゴーグルにおいては、フレーム本体３１のレンズ当合周片部３３の上下に設けた掛支突部３５に、一眼レンズ３２の掛合部３４を掛合することにより、フレーム本体３１に一眼レンズ３２を装着するようにしているが、この掛合操作は着用者がグローブを手に嵌めた状態では指先の動作が難しいため、一眼レンズ３２を交換しようとする場合には、時間が掛かるという問題点を有していた。
【００１０】
さらに、図１２に示した従来のゴーグルにおいては、前記掛合操作を行う場合に着用者がグローブを手に嵌めた状態では、グローブが一眼レンズ３２に接触してその表面が擦られ、一眼レンズ３２を交換しようとする場合には、その一眼レンズ３２に傷が付いてしまうという問題点を有していた。
【００１１】
また、図１２に示した従来のゴーグルにおいては、フレーム本体３１の後端にただ単に設けた突出部３７の挿通孔３６に装着ベルトを取り付けているだけであるので、着用者がヘルメットを装着している場合にはそのヘルメットの厚みで装着ベルトが外方に押され、フレーム本体３１が着用者の顔面から浮き上がり、顔面との密着性が損なわれるという問題点を有してした。
【００１２】
次に、図１３に示した従来のレンズの取付け構造においては、レンズ４３を爪４７と溝４８に挟み、リム４４へ当て、レンズ４３の切欠部４５とブリッジ４１の貫通孔４２が合わされ、このブリッジ４１の貫通孔４２とレンズ４３の切欠部４５とにピン４６が通されて、リム４４にレンズ４３が固定されるとしているので、リム４４へのレンズ４３の装着は簡単に行えるが、これら両者の固定強度は弱く、着用時に激しい衝撃を受けると、リム４４からレンズ４３が外れてしまうことがあるという問題点を有していた。
【００１３】
また、図１３に示した従来のレンズの取付け構造においては、ピン４６の押え板４６ａがレンズ４３の前面に突出しており、この押え板４６ａに着用者の手や何らかの物などが当たったりした場合に、押え板４６ａが簡単に回転してしまい、貫通孔４２と係合部４６ｃの引っ掛かりが外れて、リム４４からレンズ４３が外れてしまうことがあるという問題点を有していた。
【００１４】
さらに、図１３に示した従来のレンズの取付け構造においては、リム４４の両端にただ単に設けたベルト通孔４９に装着ベルトを取り付けるようにしているだけであるので、着用者がヘルメットを装着している場合にはそのヘルメットの厚みで装着ベルトが外方に押され、リム４４が着用者の顔面から浮き上がり、顔面との密着性が損なわれるという問題点を有してした。
【００１５】
そして、図１４に示した従来のゴーグルにおいては、上枠部５１ａ及び下枠部５１ｂと一体成形で突出する軟質の弾性合成樹脂から成るアーム５２を設けたことにより、ヘルメットの厚みにより装着ベルトが外方に押されることなく、レンズ保持枠５１が着用者の顔面から浮き上がらず、顔面との密着性が損なわれることがなく、ヘルメットを装着するスポーツに使用するのに好ましいものとなっている。しかし、レンズ保持枠５１の内面に形成した嵌合溝５５にレンズ５４を嵌合保持させ、レンズ５４が不用意に抜け落ちないようにしているため、レンズ交換を可能にしたものではなく、日差しの強さや降雪、降雨の有無といった自然環境の変化に応じて最適の視界性能をもつレンズに取り替えることができないという問題点を有していた。
【００１６】
そこで、この発明は、上記従来の問題点を解決することをその課題としており、レンズを外れ難くすると共に、レンズ交換を可能とし、しかもレンズ交換時にはレンズに手が触れ難くし、さらにヘルメットを装着するスポーツに使用するのにも好ましくしたゴーグルを提供することを目的としてなされたものである。
【課題を解決するための手段】
【００１７】
そのため、この発明のゴーグルは、フレーム１の上側フレーム１ａおよび下側フレーム１ｂのそれぞれ中央より左右にそれぞれ一個ずつ止孔５を設け、レンズ３の上側および下側に、前記フレーム１のそれぞれの止孔５に対応する個所にそれぞれ止孔１１を設け、左右一対のベルトアーム３の二股部３ａのそれぞれの先端にロック機構１７を備えたものとし、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３とを固定したり、前記ロック状態を解除してこれらを分離できるようにしている。
【００１８】
さらに、この発明のゴーグルは、フレーム１の上側フレーム１ａまたは下側フレーム１ｂの一方に、その中央より左右にそれぞれ一個ずつ止孔５を設け、レンズ３の上側または下側に、前記フレーム１の止孔５に対応する個所にそれぞれ止孔１１を設け、左右一対のベルトアーム３の二股部３ａの一方の先端にロック機構１７を備えたものとし、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３の二股部３ａの一方とを固定したり、前記ロック状態を解除してこれらを分離できるようにしている。
【００１９】
また、この発明のゴーグルは、フレーム１の上側フレーム１ａおよび下側フレーム１ｂのそれぞれ中央より左右にそれぞれ一個ずつと、左右フレーム１ｃにそれぞれ一個ずつ止孔５を設け、レンズ３の上側、下側および左右側に、前記フレーム１のそれぞれの止孔５に対応する個所にそれぞれ止孔１１を設け、左右一対のベルトアーム３の二股部３ａおよび分岐部３ｃのそれぞれの先端にロック機構１７を備えたものとし、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３とを固定したり、前記ロック状態を解除してこれらを分離できるようにしている。
【００２０】
そして、この発明のゴーグルは、前記ベルトアーム３の二股部３ａの他方の先端を、フレーム１の上側フレーム１ａまたは下側フレーム１ｂに連結したものとしている。
【００２１】
さらに、この発明のゴーグルは、前記上側フレーム１ａまたは下側フレーム１ｂの他方に溝７ｂを設け、この溝７ｂに、前記レンズ２の上側縁または下側縁を嵌め込むようにしている。
【００２２】
また、この発明のゴーグルは、前記ベルトアーム３のロック機構１７によってロック状態にした場合に、このベルトアーム３の二股部３ａと前記レンズ２の表面との間に間隙Ｓを設けたものとしている。
【００２３】
さらに、この発明のゴーグルは、前記下側フレーム１ｂに、中央部を窪ませて鼻当て部６を設け、この鼻当て部６の内側に溝７ａを設けたものとし、前記レンズ２の下側に、中央部を窪ませて嵌込み部１２を設けたものとし、前記下側フレーム１ｂの溝７ａにレンズ２の嵌込み部１２を嵌め込んだものとしている。
【００２４】
また、この発明のゴーグルにおいて、前記ロック機構１７は、ロックピン２０、スリーブ２１、ノブ２２および止体２３から構成され、前記ノブ２２が、ベルトアーム３の二股部３ａの先端に設けられた段差部１５に、上から横方向または横から上方向に回動自在として設けられており、上方向に回動させた場合にはロック解除状態となり、横方向に回動させ場合にはロック状態となるようにしている。
【００２５】
さらに、この発明のゴーグルにおいて、前記フレーム１が、フレキシブルな軟質の弾性合成樹脂により構成され、レンズ２との接触面に隣接する周壁９に、断面がＵ字状の長溝１０を設けたものとしている。
【発明の効果】
【００２６】
この発明のゴーグルは、以上に述べたように構成されているので、レンズ交換が可能となり、日差しの強さや降雪、降雨の有無といった自然環境の変化に応じて最適の視界性能をもつレンズに取り替えることができるものとなる。
【００２７】
さらに、この発明のゴーグルは、レンズ交換時にレンズに手が触れ難くしたので、着用者がグローブを手に嵌めた状態でも、そのグローブがレンズに接触し難く、レンズの表面が擦られて、そのレンズに傷が付いてしまうということがない。
【００２８】
また、この発明のゴーグルは、ロック機構が誤作動し難いものとなるので、フレームからレンズが外れてしまう虞れの少ないものとなる。
【００２９】
さらに、この発明のゴーグルは、ヘルメットを装着しないスポーツなどに使用するのにはもちろん好ましく、ヘルメットを装着するスポーツなどに使用するのにも好ましく、汎用性に優れたものとなる。
【００３０】
また、この発明のゴーグルは、衝撃吸収性に優れたものとなり、フレームやレンズが破損し難いものとなると共に、着用者も怪我をし難いものとなる。
【図面の簡単な説明】
【００３１】
【図１】この発明に係るゴーグルの正面図である。
【図２ａ】この発明に係るゴーグルのフレームの正面図である。
【図２ｂ】この発明に係るゴーグルのレンズの正面図である。
【図２ｃ】この発明に係るゴーグルのベルトアームの正面図である。
【図３ａ】この発明に係るゴーグルのベルトアーム先端部のロック機構のロック状態を示す分解斜視図である。
【図３ｂ】この発明に係るゴーグルのベルトアーム先端部のロック機構のロック状態を示す組立斜視図である。
【図４ａ】この発明に係るゴーグルのベルトアーム先端部のロック機構のロック解除状態を示す分解斜視図である。
【図４ｂ】この発明に係るゴーグルのベルトアーム先端部のロック機構のロック解除状態を示す組立斜視図である。
【図５ａ】この発明に係るゴーグルのフレームにレンズを重ね合わせる前の状態を示す斜視図である。
【図５ｂ】この発明に係るゴーグルのフレームにレンズを重ね合わせた後の状態を示す斜視図である。
【図５ｃ】図５ｂの状態のレンズにベルトアームを重ね合わせる前の状態を示す斜視図である。
【図５ｄ】図５ｂの状態のレンズにベルトアームを重ね合わせた後の状態を示す斜視図である。
【図５ｅ】図５ｄの状態のベルトアーム先端部のロック機構のノブを操作して、フレーム、レンズおよびベルトアームを固定した状態の斜視図である。
【図６ａ】この発明に係るゴーグルのフレームにレンズを重ね合わせる前の状態を示す一部断面図である。
【図６ｂ】この発明に係るゴーグルのフレームにレンズを重ね合わせ、両者の止孔にベルトアーム先端部のロック機構のロックピンを貫通させる前の状態を示す一部断面図である。
【図６ｃ】この発明に係るゴーグルのフレームにレンズを重ね合わせ、両者の止孔にベルトアーム先端部のロック機構のロックピンを貫通させた後の状態を示す一部断面図である。
【図６ｄ】図６ｃに示すベルトアーム先端部のロック機構のノブを操作して、フレーム、レンズおよびベルトアームを固定した状態の一部断面図である。
【図７】この発明に係るゴーグルのベルトアームの他の形態を示す斜視図である。
【図８】この発明に係るゴーグルのベルトアームのさらに他の形態を示す斜視図である。
【図９】この発明に係るゴーグルのフレームとベルトアームのさらに他の形態を示す正面図である。
【図１０】この発明に係るゴーグルのレンズのさらに他の形態を示す正面図である。
【図１１】この発明に係るゴーグルのベルトアームのさらに他の形態を示す正面図である。
【図１２】従来のゴーグルの一例を示す斜視図である。
【図１３】従来のレンズ取付け構造の一例を示す分解斜視図である。
【図１４】従来のゴーグルの他の例を示す斜視図である。
【発明を実施するための形態】
【００３２】
以下、この発明のゴーグルを実施するための形態を、図面に基づいて詳細に説明する。
【００３３】
この発明のゴーグルは、主要な構成部材として、フレーム１、レンズ２、一対のベルトアーム３および一対の装着ベルト４とからなる。
【００３４】
フレーム１は、全体がフレキシブルな軟質の弾性合成樹脂等により構成されており、レンズ２と接触する面の外縁の上下左右の四個所に止孔５が設けられている。すなわち、前記フレーム１の横長とした上側フレーム１ａおよび横長とした下側フレーム１ｂのそれぞれ中央より左右にそれぞれ一個ずつ前記止孔５が設けられている。さらに、前記フレーム１の下側、すなわち下側フレーム１ｂには、中央部を内側に窪ませて鼻当て部６を設けたものとしている。また、この鼻当て部６の内側には溝７ａを設け、この溝７ａ内にツメ８を設けたものとしている（図５ａ参照）。なお、図に示したフレーム１は、左右側フレーム１ｃと、前記上側フレーム１ａおよび下側フレーム１ｂとからなる包囲枠としているが、上側フレーム１ａおよび下側フレーム１ｂのみからなるものとすることもできる。
【００３５】
さらに、フレーム１のレンズ２との接触面に隣接する周壁９には、断面がＵ字状の長溝１０が設けられている（図６ａ参照）。この長溝１０は、前記周壁９の全周に設けられるのが好ましく、着用者が転倒した時などレンズ２が前方から衝撃を受けた場合に、その衝撃を吸収するクッションの役割を果たすので、レンズ２が破損し難いものとなると共に、着用者も怪我をし難いものとなる。また、前記長溝１０は、雨天時に着用した場合などに、雨水が周壁９に溜まることなく、流れ出させるための樋としての役割を果たす。この樋としての役割だけを果たさせる場合には、長溝１０は、前記周壁９の少なくとも上壁９ａの全域にのみ設けたものとすればよい（図５ａ参照）。
【００３６】
また、フレーム１は、後方に当板Ｔを有したものとしており、この当板Ｔには着用者の顔面に当接するようにしたスポンジパッドＰを設けたものとしている。なお、前記フレーム１と当板Ｔとの間には、必要に応じて、ベンチレーション部Ｖを形成したものとしてもよい。
【００３７】
レンズ２は、一眼レンズとしており、アクリル樹脂板等の耐傷性に優れ、紫外線をカットできるものを採用するのが好ましく、前記フレーム１と接触する面の外縁の上下左右の四箇所に止孔１１が設けられている。すなわち、前記レンズ３の上側および下側に、前記上側フレーム１ａおよび下側フレーム１ｂのそれぞれの止孔５に対応する個所にそれぞれ前記止孔１１が設けられている。また、レンズ２の下側には、中央部を内側に窪ませて嵌込み部１２を設け、この嵌込み部１２内に切欠き１３ａを設けたものとしている。
【００３８】
さらに、レンズ２は、外レンズ２ａと内レンズ２ｂを両面テープ１４で貼り合わせた二重レンズとすることができる。この場合、外レンズ２ａを内レンズ２ｂの周囲から食み出す大きさとし、この外レンズ２ａの食み出した部分の上側および下側に、前記止孔１１を設けたものとすることができる。
【００３９】
ベルトアーム３は、左右一対としており、曲げ強度の高い弾性合成樹脂等によって、略コ字状の枠体として構成されている。この枠体の二股部３ａのそれぞれの先端には、段差部１５が設けられ、この段差部１５の中央には貫通孔１６が設けられている。そして、前記二股部３ａの先端には、それぞれロック機構１７を備えたものとしている。さらに、前記枠体の外端部３ｂには、装着ベルト４を連結したものとしている。
【００４０】
装着ベルト４は、左右一対としており、伸縮弾性ベルトからなるものとしている。この一対の装着ベルト４のそれぞれの一端は、前記一対のベルトアーム３のそれぞれの枠体の外端部３ｂに連結したものとしている。そして、前記装着ベルト４のそれぞれの他端には、バックル１８の雄雌体１８ａ、１８ｂを取り付けており、これら雄雌体１８ａ、１８ｂによって、一対の装着ベルト４どうしを止め外しできるようにしている。さらに、一対の装着ベルト４には、それぞれに長さ調節具１９を取り付けたものとしている。
【００４１】
そして、この発明のゴーグルは、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３とを固定したり、前記ロック状態を解除してこれらを分離できるようにしている。
【００４２】
この発明のゴーグルにおいて、前記ベルトアーム３のロック機構１７によってロック状態にした場合に、このベルトアーム３の二股部３ａと前記レンズ２の表面との間に間隙Ｓを設けたものとしている。このような間隙Ｓを設けることにより、前記ベルトアーム３が前記レンズ２の表面より外方に離れた位置になるので、ヘルメットを装着するスポーツに使用する場合にも、そのヘルメットの厚みによりベルトアーム３に連結された装着ベルト４が外方に押されることなく、フレーム１が着用者の顔面から浮き上がらず、顔面との密着性が損なわれることがないものとなる。
【００４３】
前記ロック機構１７は、図３ａ、３ｂ、図４ａ、４ｂに示したように、ロックピン２０、スリーブ２１、ノブ２２および止体２３から構成されている。
【００４４】
ロックピン２０は、軸体２０ａの一端に係止体２０ｂを設けたものとしており、全体形状を平面視すると略Ｔ字状にしたものとしている。このロックピン２０の軸体２０ａの先端部には、凹部２４、２４が対向して形成されている。また、ロックピン２０の係止体２０ｂは、フレーム１に設けられた止孔５が楕円形のときは、この止孔５に入り込む楕円形とすることにより、後に述べるノブ２２を上方向に回動させてロック解除状態にした場合には、フレーム１に設けられた止孔５とは係止せず、ノブ２２を横方向に回動させてロック状態にした場合には、フレーム１に設けられた止孔５に係止するようにしているが、このようなノブ２２の回動操作で止孔５に係止しなかったり、止孔５に係止するようになる形状であれば、楕円形に限られることはない。
【００４５】
スリーブ２１は、フレーム１に設けられた止孔５およびレンズ３に設けられた止孔１１に嵌合するようにしており、これら止孔５、１１の形状を円形にした場合には、円筒胴形状にして嵌合するようにし、止孔５、１１の形状を楕円形にした場合には、楕円筒胴形状にして嵌合するようにするなど、前記止孔５、１１の形状に応じた筒胴形状にしており、その筒胴にはロックピン２０の軸体２０ａの貫通孔２１ａが設けられている。
【００４６】
ノブ２２は、ベルトアーム３の二股部３ａの先端の段差部１５に、上から横方向または横から上方向に回動自在として設けられており、上方向に回動させた場合にはロック解除状態となり、横方向に回動させ場合にはロック状態となり、このロック状態において、ベルトアーム３の二股部３ａの外端縁２５および上下側面２６、２７と面一になるようにしている。このノブ２２には、ロックピン２０の軸体２０ａの先端部の挿入穴２８が設けられ、さらにこの挿入穴２８と直交して連通するようにした止体２３の挿入穴２９が設けられている。
【００４７】
止体２３は、ノブ２２の挿入穴２９に差し込まれたとき、ノブ２２の挿入穴２８に差し込まれたロックピン２０の軸体２０ａの先端部に形成された凹部２４、２４を両側から挟み込むツメ２３ａを有して、その軸体２０ａの先端部を固定するものとしているが、ノブ２２の挿入穴２９に差し込まれ、ロックピン２０の軸体２０ａの先端部を固定するものであれば、その構造や形状は限定されることはない。
【００４８】
そこで、前記ベルトアーム３の二股部３ａの先端の貫通孔１６に、ベルトアーム３の内側から、フレーム１の止孔５およびレンズ２の止孔１１に嵌合されたスリーブ２１の貫通孔２１ａを合致させ、ベルトアーム３の外側から、前記ベルトアーム３の二股部３ａの先端の段差部１５に位置させたノブ２２の挿入穴２８を合致させる。その後、スリーブ２１の貫通孔２１ａおよびベルトアーム３の二股部３ａの先端の貫通孔１６に、ロックピン２０の軸体２０ａを貫通させ、この軸体２０ａの先端部をノブ２２の挿入穴２８に差し込む。そして、このノブ２２の挿入穴２８と直交して連通するようにした挿入穴２９に止体２３を差し込み、前記ロックピン２０の軸体２０ａの先端部の凹部２４、２４を両側から、止体２３のツメ２３ａで挟み込み、その軸体２０ａの先端部をノブ２２に固定する。このようにして前記ベルトアーム３の二股部３ａの先端にロック機構１７が備えられる。
【００４９】
以上のように構成したこの発明のゴーグルは、図５ａ、５ｂに示したように、フレーム１の溝７ａにレンズ２の嵌込み部１２を嵌め込む。すなわち、フレーム１の溝７ａのツメ８がレンズ２の嵌込み部１２の切欠き１３ａに入るようにして、このフレーム１の溝７ａにレンズ２の嵌込み部１２を嵌め込む。このようにすれば、フレーム１の止孔５とレンズ２の止孔１１とが合致するようになる。
【００５０】
そこで、この発明のゴーグルは、これらの合致させた止め孔５、１１に、ベルトアーム３の二股部３ａの先端に備えられたロック機構１７により、図５ｃ〜５ｅおよび図６ｂ〜６ｄに示したように、このベルトアーム３の二股部３ａを固定することにより、フレーム１にレンズ２が取り付けられることになる。
【００５１】
すなわち、図５ｃおよび図６ｂに示したように、ノブ２２を上方向に回動させてロック解除状態にしたロック機構１７のロックピン２０の係止体２０ｂおよびスリーブ２１を、図５ｄおよび図６ｃに示したように、前記止め孔５、１１に差し込む。そして、図５ｅおよび図６ｄに示したように、ノブ２２を上から横方向に回動させてロック状態にすれば、ロックピン２０の係止体２０ｂがフレーム１の止孔５に係止され、ベルトアーム３の二股部３ａが前記止め孔５、１１に固定され、フレーム１にレンズ２が取り付けられることになる。なお、フレーム１からレンズ２を外すときは、上記した逆の操作手順で行えばよい。
【００５２】
したがって、この発明のゴーグルは、フレーム１にレンズ２を取り付けたり、フレーム１からレンズ２を外したりする操作が簡単に行えるものとなり、レンズ交換する場合などに、レンズ２を素早く取り替えることができるものとなる。
【００５３】
さらに、この発明のゴーグルは、ノブ２２を回動させて、ロック状態にしたりロック状態を解除する場合にも、このノブ２２は直接レンズ２にではなく、ベルトアーム３に設けられているので、レンズ２に手が触れ難くなり、レンズ２の表面が擦られて、レンズ２に傷がついてしまう虞れが少ないものとなる。
【００５４】
しかも、この発明のゴーグルは、ノブ２２に着用者の手や何らかの物が当たったりして外力が加わり易い方向、すなわちノブ２２を上から横方向に回動させれば、ロック状態になるようにしており、逆にノブ２２に外力が加わり難い方向、すなわちノブ２２を横から上方向に回動させれば、ロック解除状態となるようにしているので、ロック機構１７の誤作動によりフレーム１からレンズ２が外れしまう虞れが少ないものとなる。
【００５５】
さらに、この発明のゴーグルは、ノブ２２がロック状態において、ベルトアーム３の二股部３ａの外端縁２５および上下側面２６、２７と面一になるようにしているので、ベルトアーム３から突出せず、ノブ２２に外力が加わり難くなるので、ロック機構１７が誤作動することなく、フレーム１からレンズ２が外れしまう虞れが少ないものとなる。
【００５６】
また、この発明のゴーグルは、前記レンズ２の表面とベルトアーム３の二股部３ａとの間に間隙Ｓを設けたり、この間隙Ｓに加えてベルトアーム３の二股部３ａを、図７に示したように軟質の弾性合成樹脂からなるものとしたり、図８に示したように長くしたものとすることにより、ヘルメットを装着するスポーツに使用する場合にも、そのへルメットの厚みにより装着ベルト４が外方に押されることなく、フレーム１が着用者の顔面から浮き上がらず、顔面との密着性が損なわれることがないものとなる。
【００５７】
さらに、この発明のゴーグルは、図９、１０に示したような、他の実施形態とすることができる。
【００５８】
この発明のゴーグルは、図９に示したように、フレーム１の上側フレーム１ａに、その中央より左右にそれぞれ一個ずつ止孔５を設けたものとしている。レンズ３の上側には、前記フレーム１の止孔５に対応する個所にそれぞれ止孔１１を設けたものとしている。左右一対のベルトアーム３の二股部３ａの一方、すなわち上方の先端には、ロック機構１７を備えたものとしている。
【００５９】
そして、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３の二股部３ａの一方とを固定したり、前記ロック状態を解除してこれを分離できるようにしている。
【００６０】
さらに、前記ベルトアーム３の二股部３ａの他方、すなわち下方の先端を、フレーム１の下側フレーム１ｂに連結したものとしている。図示したものでは、前記ベルトアーム３の二股部３ａの下方の先端と、フレーム１の下側フレーム１ｂとを固着したものとしているが、軸着したものとしてもよい。
【００６１】
また、前記下側フレーム１ｂに溝７ｂを設け、この溝７ｂに前記レンズ２の下側縁を嵌め込むようにしている。前記溝７ｂには、左右端にツメ８ｂを設けたものとすることができ、この場合にはこれらのツメ８ｂに対応するようにレンズ２の下側に切欠き１３ｂを設けたものとし、下側フレーム１ｂの溝７ｂにレンズ２の下側縁を嵌め込んだときに、ツメ８ｂが切欠き１３ｂに入るようにしている。
【００６２】
さらに、この発明のゴーグルは、図示していないが、フレーム１の下側フレーム１ｂに、その中央より左右にそれぞれ一個ずつ止孔５を設けたものとすることができる。レンズ３の下側には、前記フレーム１の止孔５に対応する個所にそれぞれ止孔１１を設けたものとすることができる。左右一対のベルトアーム３の二股部３ａの一方、すなわち下方の先端には、ロック機構１７を備えたものとすることができる。
【００６３】
そして、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３の二股部３ａの一方とを固定したり、前記ロック状態を解除してこれらを分離できるようにすることができる。
【００６４】
さらに、前記ベルトアーム３の二股部３ａの他方、すなわち上方の先端を、フレーム１の上側フレーム１ａに固着したり、軸着することにより、連結したものとすることができる。
【００６５】
また、前記上側フレーム１ｂに溝７ｂを設け、この溝７ｂに前記レンズ２の上側縁を嵌め込むようにすることができる。
【００６６】
なお、この実施形態においても、前記ロック機構１７の構造は、先に説明したものと同様にしているのはいうまでもない。
【００６７】
さらに、この発明のゴーグルは、図１１に示したように、左右一対のベルトアーム３のそれぞれに分岐部３ｃを設けたものとすることができる。この分岐部３ｃは、図１１に示したものでは、外端部３ｂに突設したものとしているが、二股部３ａの一方に突設したものとしてもよい。
【００６８】
この場合には、図示していないが、フレーム１の上側フレーム１ａおよび下側フレーム１ｂのそれぞれ中央より左右にそれぞれ一個ずつと、左右フレーム１ｃにそれぞれ一個ずつ止孔５を設けたものとしている。レンズ３の上側、下側および左右側には、前記フレーム１のそれぞれの止孔５に対応する個所にそれぞれ止孔１１を設けたものとしている。左右一対のベルトアーム３の二股部３ａおよび分岐部３ｃのそれぞれの先端には、ロック機構１７を備えたものとしている。
【００６９】
そして、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３とを固定したり、前記ロック状態を解除してこれらを分離できるようにしている。
【００７０】
また、図１１に示したこの発明のゴーグルにおいて、分岐部３ｃの先端にロック機構１７を備えることなく、この分岐部３ｃの先端をフレーム１の左右フレーム１ｃに固着したり軸着することにより、連結したものとすることができる。この場合には、レンズ２の左右側に止孔１１を設けないものとするのはいうまでもない。
【００７１】
そして、このゴーグルにおいても、前記フレーム１とレンズ２とを重ね合わせて、それぞれの止孔５、１１どうしを位置合わせして、これら止孔５、１１を、前記ベルトアーム３のロック機構１７によってロック状態にして、前記フレーム１と、レンズ２と、左右一対のベルトアーム３の二股部３ａとを固定したり、前記ロック状態を解除してこれらを分離できるようにしている。
【００７２】
なお、この実施形態においても、前記ロック機構１７の構造は、先に説明したものと同様にしているのはいうまでもない。
【符号の説明】
【００７３】
１  フレーム
１ａ  上側フレーム
１ｂ  下側フレーム
２  レンズ
３  ベルトアーム
３ａ  二股部
３ｃ  分岐部
５  止孔
７ａ  溝
７ｂ  溝
９  周壁
１０  長溝
１１  止孔
１２  嵌込み部
１５  段差部
１７  ロック機構
２０  ロックピン
２１  スリーブ
２２  ノブ
２３  止体
【図１】
2010216022.tif 000003
【図２ａ】
2010216022.tif 000004
【図２ｂ】
2010216022.tif 000005
【図２ｃ】
2010216022.tif 000006
【図３ａ】
2010216022.tif 000007
【図３ｂ】
2010216022.tif 000008
【図４ａ】
2010216022.tif 000009
【図４ｂ】
2010216022.tif 000010
【図５ａ】
2010216022.tif 000011
【図５ｂ】
2010216022.tif 000012
【図５ｃ】
2010216022.tif 000013
【図５ｄ】
2010216022.tif 000014
【図５ｅ】
2010216022.tif 000015
【図６ａ】
2010216022.tif 000016
【図６ｂ】
2010216022.tif 000017
【図６ｃ】
2010216022.tif 000018
【図６ｄ】
2010216022.tif 000019
【図７】
2010216022.tif 000020
【図８】
2010216022.tif 000021
【図９】
2010216022.tif 000022
【図１０】
2010216022.tif 000023
【図１１】
2010216022.tif 000024
【図１２】
2010216022.tif 000025
【図１３】
2010216022.tif 000026
【図１４】
2010216022.tif 000027